(57)【要約】モバイル電話（１００、２００）およびアクセサリ（１０２、２０２）は、第１のライン（２２８、２３４）を介して通信する。モバイル電話（１００、２００）は、チャレンジ通信を計算または決定し（３０２）、第１のライン（２２８、２３４）を介して、アクセサリ（１０２、２０２）へと、チャレンジ通信を送信する（３０４）。アクセサリ（１０２、２０２）は、チャレンジ通信を受信し、チャレンジ通信、ハッシュアルゴリズム、および電子鍵に基づいて、応答通信を計算する（３０８）。応答通信は、第１のライン（２２８、２３４）を介して、モバイル電話（１００、２００）に送信される（３０９）。アクセサリ（１０２、２０２）はまた、電話アクセサリ（１０２、２０２）をモバイル電話（１００、２００）と共に使用することを可能にする（３１０）。応答通信は、モバイル電話（１００、２００）によって受信される（３１１）。
2009518959.tif 000002
【特許請求の範囲】
【請求項１】
電話アクセサリを認証するための方法であって、該方法は、
セキュアデバイスにおいて、ハッシュアルゴリズムおよび電子鍵を使用することによって、複数の一意的なチャレンジ−応答の対を予め生成するステップであって、複数のモバイル電話のうちの各モバイル電話は、該複数の一意的なチャレンジ−応答の対のうちの一意的なチャレンジ−応答の対を受信する、ステップと、
該モバイル電話において、該複数の一意的なチャレンジ−応答の対のうちの第１の一意的なチャレンジ−応答の対を格納するステップであって、該チャレンジ−応答の対は、チャレンジ部分および応答部分を含んでいる、ステップと、
該電話アクセサリを第１のラインを介して該モバイル電話に電気接続するステップと、
チャレンジ通信として、該チャレンジ−応答の対の該チャレンジ部分を、該第１のラインを介して、該モバイル電話から該電話アクセサリに送信するステップと、
該チャレンジ通信、該ハッシュアルゴリズム、および該電子鍵に基づいて、該電話アクセサリにおいて応答通信を計算するステップと、
該第１のラインを介して、該電話アクセサリから応答通信を受信するステップと、
該応答通信を該応答部分と比較するステップと、
該比較するステップに基づいて、該電話アクセサリを該モバイル電話と共に使用することを可能にするステップと
を包含する、方法。
【請求項２】
前記電話アクセサリは、前記第１のラインを介して前記モバイル電話と共に使用することを可能にされる、請求項１に記載の方法。
【請求項３】
前記第１のラインは、供給電圧ラインである、請求項２に記載の方法。
【請求項４】
前記電話アクセサリは、前記第２のラインを介して前記モバイル電話と共に使用することを可能にされ、該第２のラインは、該モバイル電話と該電話アクセサリとを電気接続する、請求項１に記載の方法。
【請求項５】
前記第２のラインは、双方向性の通信ラインである、請求項４に記載の方法。
【請求項６】
前記応答通信が前記応答部分と一致しない場合に、前記電話アクセサリを前記モバイル電話と共に使用することを不可能にするステップをさらに含む、請求項１に記載の方法。
【請求項７】
前記応答通信が前記受信するステップの間に受信されなかった場合に、前記電話アクセサリを前記モバイル電話と共に使用することを不可能にするステップをさらに含む、請求項１に記載の方法。
【請求項８】
電話アクセサリを認証するための方法であって、該方法は、
該電話アクセサリをコネクタの第１のラインを介してモバイル電話に電気接続するステップと、
該第１のラインを介して、該モバイル電話からチャレンジ通信を受信するステップであって、該チャレンジ通信は、ハッシュアルゴリズムおよび電子鍵を使用することによってセキュアデバイスにおいて予め生成された複数の一意的なチャレンジ−応答の対のうちの第１の一意的なチャレンジ−応答の対のチャレンジ部分であり、複数のモバイル電話のうちの各モバイル電話は、複数の一意的なチャレンジ−応答の対のうちの一意的なチャレンジ−応答の対を格納する、ステップと、
該チャレンジ通信、該ハッシュアルゴリズム、および該電子鍵に基づいて、該電話アクセサリにおいて応答通信を計算するステップと、
該第１のラインを介して、該電話アクセサリから該モバイル電話に該応答通信を送信するステップと、
該電話アクセサリを該モバイル電話と共に使用することを可能にするステップと
を包含する、方法。
【請求項９】
前記第１のラインを介して、前記モバイル電話から前記電話アクセサリに前記チャレンジ通信を送信するステップと、
該第１のラインを介して、該電話アクセサリから応答通信を受信するステップと、
該チャレンジ通信、ハッシュアルゴリズム、および電子鍵に基づいて、妥当性検証結果を計算するステップと
をさらに含む、請求項８に記載の方法。
【請求項１０】
前記電話アクセサリは、前記第１のラインを介して前記モバイル電話と共に使用することを可能にされる、請求項８に記載の方法。
【請求項１１】
前記第１のラインは、供給電圧ラインである、請求項９に記載の方法。
【請求項１２】
前記電話アクセサリは、第２のラインを介して前記モバイル電話と共に使用することを可能にされ、該第２のラインは、該モバイル電話と該電話アクセサリとを電気接続する、請求項８に記載の方法。
【請求項１３】
前記第２のラインは、双方向性の通信ラインである、請求項１１に記載の方法。
【請求項１４】
前記チャレンジ通信は、乱数および擬乱数のうちの１つから予め生成される、請求項８に記載の方法。
【請求項１５】
前記応答通信が前記妥当性検証結果と一致しない場合に、前記電話アクセサリを前記モバイル電話と共に使用することを不可能にするステップをさらに含む、請求項９に記載の方法。
【請求項１６】
前記応答通信が前記受信するステップの間に受信されなかった場合に、前記電話アクセサリを前記モバイル電話と共に使用することを不可能にするステップをさらに含む、請求項９に記載の方法。
【発明の詳細な説明】
【技術分野】
【０００１】
（発明の分野）
本発明は、無線通信デバイスの分野に関する。より具体的には、本発明は、無線通信デバイスのアクセサリおよび関連する使用方法に関する。
【背景技術】
【０００２】
（発明の背景）
様々な周辺デバイス（本明細書中では、概して「アクセサリ」と称される）は、モバイル電話またはその他の無線通信デバイスに取り付けられたり、それらから取り外されたりし得る。これらのアクセサリは、取り付けられたときに、追加的な機能性を提供したり、かつ／または電話の性能を向上させたりする。その他の場合において、アクセサリは、ユーザがモバイル電話を生産的または快適に使用することを可能にする。電話のバッテリーは、通常は電話と一体であると考えられるが、このようなバッテリーもまた、本開示の目的のための「アクセサリ」であるとみなされる。
【０００３】
無線通信デバイスの設計および開発の間に、無線通信デバイスとの使用が見込まれるアクセサリの互換性および／または信頼性をテストすることは一般的である。そのようなテストは、アクセサリが無線通信デバイスと共に妥当なレベルの互換性で動作することを保証する。不都合にも、第三者から入手される、無線通信デバイスと共に使用するためのアクセサリは、しばしばテストされていなかったり、あるいはテストされている場合でさえも、無線通信デバイスの製造業者によって定義された標準および／またはその他の標準（例えば、政府機関によって定義された標準）を下回っていたりする。そのようなアクセサリ（本明細書中では、「非認証（ｕｎａｕｔｈｏｒｉｚｅｄ）アクセサリ」と称する）は、無線通信デバイスに損傷を与える可能性および／または消費者に安全上の脅威を与える可能性を有している。
【０００４】
非認証アクセサリが無線通信デバイスと共に利用されないようにするための既存の技術は、比較的回避することが容易である。例えば、一意的な機械的キーイング配置（ｍｅｃｈａｎｉｃａｌ  ｋｅｙｉｎｇ  ａｒｒａｎｇｅｍｅｎｔ）を利用するコネクタは、コネクタに対する機械的改変に弱いことがあり得る。レジスタを利用する認証用の電気的配置も同様に、特定の回路網によって容易に回避される。最後に、固定式パスワードまたはローリングコードを利用するデジタル通信技術は、比較的容易に打破または模倣される。
【発明の開示】
【発明が解決しようとする課題】
【０００５】
したがって、当該技術分野においては、無線通信デバイスに対する有効かつ安全な認証方法および装置への強い需要が依然としてある。
【課題を解決するための手段】
【０００６】
（発明の概要）
モバイル電話アクセサリを認証するための方法および装置が開示される。一実施形態にしたがうと、モバイル電話およびアクセサリは、インターフェースを経て、第１のラインを介して通信するように結合されることが可能である。
【０００７】
例示的な実施形態において、モバイル電話は、チャレンジ通信（例えば、乱数または擬乱数）を計算し、第１のラインを介して、チャレンジ通信をアクセサリに送信する。それに応じて、アクセサリは、第１のラインを介してチャレンジ通信を受信し、チャレンジ通信、ハッシュアルゴリズム、および電子鍵に基づいて、応答通信を計算する。応答通信は、第１のラインを介してモバイル電話に送信される。一部の実施形態において、アクセサリはまた、オプションとして、例えば必要な電気接続を形成することによって、電話アクセサリをモバイル電話と共に使用することを可能にする。
【０００８】
アクセサリによって生成された応答通信は、第１のラインを介して、モバイル電話によって受信される。モバイル電話は、チャレンジ通信、ハッシュアルゴリズム、および電子鍵に基づいて、妥当性検証結果を計算する。モバイル電話は、応答通信と妥当性検証結果とを比較し、応答通信と妥当性検証結果との比較に基づいて、電話アクセサリをモバイル電話と共に使用することを可能にする。アクセサリがモバイル電話と共に使用することが認められ、アクセサリによって生成された応答通信が妥当性検証結果と一致し得る場合、アクセサリはモバイル電話と共に使用することが可能になる。上記以外の場合、アクセサリはモバイル電話と共に使用することを不可能にされる。
【０００９】
以下で議論されるように、本明細書中に開示される特定のモバイル電話アクセサリの認証配置および認証技術は、大幅に改善された安全性をもたらし、それによって非認証アクセサリがモバイル電話と共に悪用されることを大幅に減少させる。
【００１０】
本発明のその他の特徴および利点は、当業者には、以下の詳細な説明および添付の図面を検討した後に、より明白に理解される。
【発明を実施するための最良の形態】
【００１１】
（発明の詳細な説明）
図１を参照すると、本発明の一実施形態にしたがう、モバイル電話１００、およびモバイル電話１００に接続されることが可能なモバイル電話アクセサリ１０２が示されている。モバイル電話１００は、送受信器に結合されたアンテナを介して無線周波数（「ＲＦ」；ｒａｄｉｏ  ｆｒｅｑｕｅｎｃｙ）帯域において電磁（「ＥＭ」；ｅｌｅｃｔｒｏｍａｇｎｅｔｉｃ）エネルギーを送受信することが可能な任意の無線通信デバイスであり得る。本明細書中に開示されている例示的な認証方法は、モバイル電話アクセサリを認証するためにモバイル電話デバイスによって実行されるが、この方法はまた、ビデオカメラ、ノートブックコンピュータ、ｉＰｏｄ、およびその他の電子デバイスに対するバッテリーパックまたはアクセサリを認証するためにも使用され得る。
【００１２】
図示を容易にするために図１には示されていないが、モバイル電話１００は典型的に、ハウジング１０４内に含まれるメモリに結合されたプロセッサを含んでおり、このプロセッサは、モバイル電話１００を動作させることに関連する多数の機能を実行する。プロセッサはさらに、アンテナ１１２を介してＲＦ信号を通信するために、送受信器に結合されている。電源（例えば、バッテリー）は、プロセッサ、メモリ、送受信器、およびモバイル電話１００のその他のコンポーネントに電力を供給する。
【００１３】
モバイル電話１００はさらに、多数の入／出力（「Ｉ／Ｏ」；ｉｎｐｕｔ／ｏｕｔｐｕｔ）デバイスを含んでおり、これらの入／出力デバイスは、ユーザに対して情報を送受信する。例えば、モバイル電話１００は、ディスプレイ１０６、キー１０８および１１０、マイクロフォン１１２、およびスピーカ１１４を含んでおり、各々は典型的に、適切なＩ／Ｏインターフェースを介してプロセッサに結合されている。
【００１４】
図１を続けると、モバイル電話１００はさらに、１つ以上のアクセサリインターフェースを含んでおり、これらのアクセサリインターフェースは、アクセサリをモバイル電話１００に接続する。本明細書中に記載されている技術は、多種多様なアクセサリおよびアクセサリインターフェースと共に使用され得るが、図１は、電力アダプタアクセサリ１０２を含む例示的な配置を示しており、この電力アダプタアクセサリ１０２は、モバイル電話インターフェース１１８に接続された充電ユニット１２０を有している。モバイル電話インターフェース１１８は、モバイル電話１００のアクセサリインターフェース１１６に接続することが可能である。
【００１５】
ここで図２を参照すると、本発明の一実施形態にしたがう、アクセサリ２０２に接続されたモバイル電話２００を示す簡略ブロック図が示されている。例えば、図２におけるモバイル電話２００、アクセサリインターフェース２１６、アクセサリ２０２、およびモバイル電話インターフェース２１８は、図１におけるモバイル電話１００、アクセサリインターフェース１１６、アクセサリ１０２、およびモバイル電話インターフェース１１８に対応し得る。
【００１６】
図２に示されているように、モバイル電話２００のアクセサリインターフェース２１６は、ライン２２６、２２８、および２３０を含んでおり、アクセサリ２０２のモバイル電話インターフェース２１８は、ライン２３２、２３４、および２３６を含んでいる。例えば、モバイル電話２００およびアクセサリ２０２が接続されるときに、供給電圧を提供するためにライン２２６はライン２３２に接続され得、基準電圧（例えば、接地）を提供するためにライン２３０はライン２３６に接続され得、モバイル電話２００とアクセサリ２０２との間の双方向通信を提供するためにライン２２８はライン２３４に接続され得る。
【００１７】
別の実施形態にしたがうと、信号伝達ライン２２８および２３４は省略され得、そして本明細書に記載されているライン２２８および２３４を介する通信は、それぞれ供給電圧ライン２２６および２３２を介して実行され得る。例えば、双方向信号伝達は、ライン２２６および２３２を介する変調を経てライン２２６および２３２を介して利用され得る。別の例として、認証プロセスの間にライン２２６および２３２が第１の双方向信号伝達モードで動作することを可能にし、そしてアクセサリ２０２が認証された後にライン２２６および２３２が第２の電圧供給モードで動作することを可能にするスイッチを利用することによって、双方向信号伝達は、ライン２２６および２３２を介して利用され得る。既存の供給電圧ライン２２６および２３２を介する通信を可能にすることの利点は、専用の通信ライン２２８および２３４の必要がなくなるので、結果としてモバイル電話２００とアクセサリ２０２との間のインターフェースおよびコネクタが、本明細書に記載されている認証方法を利用していない以前の配置から改変される必要がなくなるということである。
【００１８】
図２を続けると、モバイル電話２００のプロセッサ２２２は、インターフェース２１６のライン２２６、２２８、および２３０に接続されており、アクセサリ２０２のプロセッサ２２４は、ライン２３２、２３４、および２３６に接続されている。プロセッサ２２２は、モバイル電話２００のメインプロセッサであり得るか、またはモバイル電話２００内の補助プロセッサであり得る。抵抗素子２３８は、ライン２３２および２３４にわたって接続されており、モバイル電話２００に対して適切なインピーダンスを提供する。ここで、アクセサリ２０２を認証するためのプロセッサ２２２および２２４の動作が、図３に関連して記載される。
【００１９】
図３は、本発明の一実施形態にしたがう、モバイル電話アクセサリを認証するための方法を示すフローチャート３００を示している。図３のフローチャート３００の特定の詳細および特徴のうち、当業者に明白なものは省かれている。例えば、当該技術において公知なように、ステップは１つ以上のサブステップから構成され得る。フローチャート３００に示されているステップ３０２〜３１８は、本発明の一実施形態を記載するためには十分ではあるが、本発明のその他の実施形態は、フローチャート３００に示されているものとは異なるステップを利用し得る。
【００２０】
一実施形態にしたがうと、フローチャート３００の方法は、アクセサリがモバイル電話に接続されたときに（例えば、図２におけるアクセサリ２０２がモバイル電話２００に接続されたときに）開始する。ブロック３０２において、プロセッサ２２２は、アクセサリ２０２の接続を感知し、チャレンジ通信（ｃｈａｌｌｅｎｇｅ  ｃｏｍｍｕｎｉｃａｔｉｏｎ）を生成する。一実施形態にしたがうと、チャレンジ通信は乱数を含む数列である。例えば、チャレンジ通信は、１８クィンティリオン（ｑｕｉｎｔｉｌｌｉｏｎ）（１８，０００，０００，０００，０００，０００，０００）通りよりも多くの値を有する６４ビットの乱数であり得る。またチャレンジ応答（ｃｈａｌｌｅｎｇｅ  ｒｅｓｐｏｎｓｅ）は、擬乱数であり得、この擬乱数は、各認証イベントの間に各モバイル電話に対して一意的であり得る。例えば、擬乱数は、モバイル電話の電子シリアル番号（「ＥＳＮ」；ｅｌｅｃｔｒｏｎｉｃ  ｓｅｒｉａｌ  ｎｕｍｂｅｒ）およびカウンタに基づくものであり得、このカウンタは、認証の試みごとに増加する。
【００２１】
ブロック３０４においては、処理のために、チャレンジ通信がモバイル電話からアクセサリに送信される。例えば、図２において、チャレンジ通信は、プロセッサ２２２によって、ライン２２８および２３４を介して、プロセッサ２２４に送信される。
【００２２】
ブロック３０６において、モバイル電話２００のプロセッサ２２２は、ブロック３０２の間に生成されたチャレンジ通信に基づいて、第１のハッシュ値（「Ｈａｓｈ  １」）を計算する。Ｈａｓｈ  １は、第１のハッシュアルゴリズムによって生成され得、この第１のハッシュアルゴリズムは、第１の電子鍵を利用し、さらには入力データとしてチャレンジ通信を使用する。例えば、第１のハッシュアルゴリズムは、一方向性のハッシュアルゴリズムであり得る。一般に、一意的な入力文字列ごとに、異なる出力文字列が生成される。本開示の目的のために、Ｈａｓｈ  １は妥当性検証結果（ｖａｌｉｄａｔｉｏｎ  ｒｅｓｕｌｔ）と称され、以下で議論されるようにこの妥当性検証結果は、アクセサリを認証するために、アクセサリによって生成された応答通信との比較に使用される。
【００２３】
ブロック３０８において、アクセサリ２０２のプロセッサ２２４は、ブロック３０４の間に送信されたチャレンジ通信を受信し、受信したチャレンジ通信に基づいて、第２のハッシュ値（「Ｈａｓｈ  ２」）を計算する。Ｈａｓｈ  ２はまた、応答通信としても公知である。なぜならば、Ｈａｓｈ  ２は、受信したチャレンジ通信に応答して生成されるからである。Ｈａｓｈ  １と同様に、Ｈａｓｈ  ２は、第２のハッシュアルゴリズムによって生成され得、この第２のハッシュアルゴリズムは、第２の電子鍵を利用し、さらには入力データとしてチャレンジ通信を使用する。モバイル電話２００との使用のためにアクセサリ２０２が認証される場合、第２のハッシュアルゴリズムおよび／または第２の電子鍵は、認証プロセスの間にプロセッサ２２４によって使用されるメモリに格納するために、アクセサリ２０２の製造業者に供給される。以下で議論されるように、第２のハッシュアルゴリズムおよび第２の電子鍵によって生成されたＨａｓｈ  ２そのものは、モバイル電話２００によって認証され得る。また以下で議論されるように、第２のハッシュアルゴリズムまたは第２の電子鍵のいずれかを欠く非認証アクセサリは、適切な認証のために必要なＨａｓｈ  ２の生成に失敗し得る。
【００２４】
ブロック３０９において、Ｈａｓｈ  ２は、モバイルアクセサリによって、処理のためにモバイル電話に送信される。例えば、図２において、Ｈａｓｈ  ２は、プロセッサ２２４によって、ライン２３４および２２８を介して、プロセッサ２２２に送信される。以下で議論されるように、モバイル電話２００による認証は、アクセサリ２０２がモバイル電話２００との動作のために使用することが完全に可能になる前に要求される。アクセサリ２０２の妥当性検証を行うと、モバイル電話２００は、モバイル電話２００の特定の部分がアクセサリ２０２と通信し得ること、あるいはアクセサリ２０２を利用し得ることを可能にする。モバイル電話２０は、アクセサリに対してアクセサリの構成または接続を変更するように命令し得るか（ブロック３１０によって表されている）、あるいはアクセサリの構成がモバイル電話２０に現れるようにし得る（以下で議論されるように、ブロック３１４によって表されている）。
【００２５】
決定ブロック３１１において、プロセッサ２２２がアクセサリ２０２から応答通信（Ｈａｓｈ  ２）を受信したか受信していないかについての決定がなされる。例えば、プロセッサ２２２は、アクセサリ２０２が、ブロック３０４の間に送信されたチャレンジ通信に応答して応答通信を送信するように構成されていない場合に、応答通信を受信しないことがあり得る。そのような場合、アクセサリ２０２は非認証であるとみなされ、モバイル電話２００は、以下で議論されるように、ステップ３１８において、アクセサリ２０２をモバイル電話２００と共に動作できないようにする。応答通信が受信されると、方法３００は、決定ブロック３１２に続く。
【００２６】
決定ブロック３１２においては、プロセッサ２２２はプロセッサ２２４から応答通信（Ｈａｓｈ  ２）を受信しており、ブロック３０６の間に生成されたＨａｓｈ  １とアクセサリ２０２から受信したＨａｓｈ  ２とを比較する。アクセサリ２０２が認証されたアクセサリの場合、Ｈａｓｈ  １はＨａｓｈ  ２と一致し、この場合にプロセッサ２２２は、ステップ３１４において、アクセサリ２０２をモバイル電話２００と共に動作できるようにする。上記で議論されたように、アクセサリ２０２の妥当性検証を行うと、モバイル電話２００は、モバイル電話２００の特定の部分がアクセサリ２０２と通信し得ること、あるいはモバイル電話２００の特定の部分がアクセサリ２０２を利用し得ることを可能にする。モバイル電話２０は、アクセサリに対してアクセサリの構成または接続を変更するように命令し得るか（ブロック３１０によって表されている）、あるいはアクセサリの構成がモバイル電話２０に現れるようにし得る（以下で議論されるように、ブロック３１４によって表されている）。例えば、アクセサリ２０２を使用することを可能にすることは、特に、モバイル電話２００のモバイル電話コンポーネントへの必要な電気接続を（例えば、ライン２２６および２３０を介して）提供することを含み得る。このようにして、アクセサリ２０２は認証され、モバイル電話２００と共に使用することが可能になる。アクセサリ２０２が非認証アクセサリの場合、Ｈａｓｈ  １はＨａｓｈ  ２とは一致せず、この場合にプロセッサ２２２は、ステップ３１８において、アクセサリ２０２をモバイル電話２００と共に動作できないようにする。例えば、アクセサリ２０２を使用することを不可能にすることは、アクセサリインターフェース２１６のライン２２６および／またはライン２３０をモバイル電話２００のモバイル電話コンポーネントのそれぞれに接続できないようにすることによって、実行され得る。
【００２７】
アクセサリが使用することを不可能にされると、アクセサリがモバイル電話と互換性を有していないことを示すために、（例えば、表示メッセージまたは可聴メッセージを介して）ユーザにメッセージが通信され得る。その他の適切なメッセージはさらに、アクセサリがモバイル電話に損傷を与え得るという警告を含み得る。
【００２８】
モバイル電話２００およびアクセサリ２０２の特定の配置および動作に応じて、モバイル電話２００との使用のためのアクセサリの認証は、大幅に改善され得る。例えば、方法３００に利用されるハッシュ関数ならびにチャレンジおよび応答技術は、解析および攻撃（ｕｎｄｅｒｍｉｎｅ）することが極めて困難であり、非常に費用がかかる。結果として、アクセサリの非認証製造業者がモバイル電話２００の認証配置を迂回する可能性は、大幅に減少する。モバイル電話２０２に損傷を与え得る非認証アクセサリの使用が大幅に減少するので、モバイル電話２０２の製造業者は利益を享受する。加えて、損傷の可能性が減少した結果、修理期間の間にモバイル電話が使えなくなることが減少し得るので、モバイル電話２０２のユーザは利益を享受する。
【００２９】
本発明の別の実施形態にしたがうと、図３に示されている方法３００のブロック３０２および３０６に関連するプロセスは、１つ以上の「チャレンジ−応答（ｃｈａｌｌｅｎｇｅ−ｒｅｓｐｏｎｓｅ）」の対によって置き換えられ、これらの対は、モバイル電話のメモリに格納される。この特定の実施形態にしたがうと、チャレンジ通信は、必ずしもブロック３０２において生成されなくてもよい。代わりに、チャレンジ−応答の対のうちのチャレンジ部分が、ブロック３０４において、アクセサリに送信される。アクセサリは、図３のブロック３０８と関連して上記で議論されたように、チャレンジ通信を処理し、ブロック３０９に関連して上記で議論されたように、「Ｈａｓｈ  ２」を送信する。この特定の実施形態にしたがうと、「Ｈａｓｈ  １」の妥当性検証の結果は、必ずしもブロック３０６において生成されなくてもよい。代わりに、関連するチャレンジ−応答の対（ブロック３０４において送信されている）のうちの応答の部分が、上記で議論されたブロック３１２における比較のための「Ｈａｓｈ  １」の妥当性検証の結果として使用され得る。さらに、この特定の実施形態にしたがうと、各モバイル電話は、一意的または実質上一意的なチャレンジ−応答の対を有し得る。例えば、一意的または実質上一意的なチャレンジ−応答の対は、カスタマが自らの製品を手に入れ、ＥＳＮを割り当てられたときに供給され得る。この特定のアプローチの利点は、暗号化アルゴリズムが必ずしもモバイル電話に格納されなくてもよいことである（アルゴリズムは、偽造のアクセサリを製造するために違法に入手され得る）。モバイル電話に割り当てられるチャレンジ−応答の対は、一意的または実質上一意的なので、偽造者が認証のために、特定のモバイル電話のプロトコルを解析し、認証されたアクセサリによって生成された応答を模倣する場合でさえも、偽造者は、特定のモバイルデバイスのみに対するアクセサリを製造することに制限され得るので、偽造者は偽造のアクセサリを事実上製造できなくなる。
【００３０】
本発明の例示的な実施形態に関する上記の記載から、様々な技術が、本発明の範囲から逸れることなしに、本発明を実施するために使用され得ることが明白に理解される。さらに、本発明は特に特定の実施形態に関連して記載されてきたが、当業者は、本発明の精神および範囲から逸れることなしに、形態および詳細において変更がなされ得ることを認識し得る。記載された例示的な実施形態は、あらゆる点で例示的なものとして見なされるべきであり、限定的なものであると見なされるべきではない。また本発明は、本明細書中に開示された特定の実施形態に限定されるものと理解されるべきではなく、多くの再構成、改変、および代替が、本発明の範囲から逸れることなしに可能である。
【図面の簡単な説明】
【００３１】
【図１】図１は、本発明の一実施形態にしたがう、例示的なモバイル電話およびアクセサリを示している。
【図２】図２は、本発明の一実施形態にしたがう、例示的なモバイル電話およびアクセサリを示している。
【図３】図３は、本発明の一実施形態にしたがう、モバイル電話アクセサリを認証するための例示的な方法を示すフローチャートを示している。
【図１】
2009518959.tif 000003
【図２】
2009518959.tif 000004
【図３】
2009518959.tif 000005
【国際調査報告】
2009518959.tif 000006
2009518959.tif 000007
2009518959.tif 000008